(57)【特許請求の範囲】
【請求項１】
複数の基地局と、各基地局の通信エリアを移動する移動局と、を備え、各基地局の通信エリアの一部が隣接する基地局の通信エリアの一部と重複している無線通信システムにおいて、
前記基地局は、移動局ごとに共通したデータである制御データと、移動局ごとに異なるデータであるユーザデータと、を多重した信号を送信するとき、前記制御データを隣接する基地局が送信する制御データと直交した制御データとし、
前記移動局は、２以上の基地局の通信エリアが重複する通信エリアにおいて、各基地局から直交した制御データを受信し、それぞれの制御データを復号し、
前記移動局は、
自局の位置を検出する位置検出手段と、
前記位置検出手段から出力された位置情報に基づいて、制御データの配置された時間または周波数のどちらか一方もしくは両方を指示する時間周波数決定手段と、
受信信号から、前記時間周波数決定手段の指示に基づいて、制御データを抽出する制御データ抽出手段と、
前記位置情報に基づいて、直交する符号を出力する直交符号決定手段と、
前記直交符号決定手段で決定された符号を用いて、抽出された制御データを逆拡散する逆拡散手段と、
前記逆拡散手段にて逆拡散されたベースバンド信号を復号するベースバンド信号復号手段と、
を備える、
ことを特徴とする無線通信システム。
【請求項２】
複数の基地局と、各基地局の通信エリアを移動する移動局と、を備え、各基地局の通信エリアの一部が隣接する基地局の通信エリアの一部と重複している無線通信システムにおいて、
前記基地局は、移動局ごとに共通したデータである制御データと、移動局ごとに異なるデータであるユーザデータと、を多重した信号を送信するとき、前記制御データを隣接する基地局が送信する制御データと直交した制御データとし、
前記移動局は、２以上の基地局の通信エリアが重複する通信エリアにおいて、各基地局から直交した制御データを受信し、それぞれの制御データを復号し、
前記基地局が符号を用いて制御データを直交化しない場合、
前記移動局は、
自局の位置を検出する位置検出手段と、
前記位置検出手段から出力された位置情報に基づいて、制御データの配置された時間または周波数のどちらか一方もしくは両方を指示する時間周波数決定手段と、
受信信号から、前記時間周波数決定手段の指示に基づいて、制御データを抽出する制御データ抽出手段と、
抽出された制御データを復号するベースバンド信号復号手段と、
を備える、
ことを特徴とする無線通信システム。
【請求項３】
前記基地局は、符号または時間もしくは両方を用いて制御データを直交化するときは、前記制御データおよび前記ユーザデータの周波数帯を同一とする、
ことを特徴とする請求項１または２に記載の無線通信システム。
【請求項４】
複数の基地局と、各基地局の通信エリアを移動する移動局と、を備え、各基地局の通信エリアの一部が隣接する基地局の通信エリアの一部と重複している無線通信システムにおける前記移動局であって、
前記基地局が、移動局ごとに共通したデータである制御データと、移動局ごとに異なるデータであるユーザデータと、を多重した信号を送信するとき、前記制御データを隣接する基地局が送信する制御データと直交した制御データとする場合に、
自局の位置を検出する位置検出手段と、
前記位置検出手段から出力された位置情報に基づいて、制御データの配置された時間または周波数のどちらか一方もしくは両方を指示する時間周波数決定手段と、
受信信号から、前記時間周波数決定手段の指示に基づいて、制御データを抽出する制御データ抽出手段と、
前記位置情報に基づいて、直交する符号を出力する直交符号決定手段と、
前記直交符号決定手段で決定された符号を用いて、抽出された制御データを逆拡散する逆拡散手段と、
前記逆拡散手段にて逆拡散されたベースバンド信号を復号するベースバンド信号復号手段と、
を備え、
２以上の基地局の通信エリアが重複する通信エリアにおいて、各基地局から直交した制御データを受信し、それぞれの制御データを復号する、
ことを特徴とする移動局。
【請求項５】
複数の基地局と、各基地局の通信エリアを移動する移動局と、を備え、各基地局の通信エリアの一部が隣接する基地局の通信エリアの一部と重複している無線通信システムにおける前記移動局であって、
前記基地局が、移動局ごとに共通したデータである制御データと、移動局ごとに異なるデータであるユーザデータと、を多重した信号を送信するとき、前記制御データを隣接する基地局が送信する制御データと直交した制御データとし、符号を用いて制御データを直交化しない場合に、
自局の位置を検出する位置検出手段と、
前記位置検出手段から出力された位置情報に基づいて、制御データの配置された時間または周波数のどちらか一方もしくは両方を指示する時間周波数決定手段と、
受信信号から、前記時間周波数決定手段の指示に基づいて、制御データを抽出する制御データ抽出手段と、
抽出された制御データを復号するベースバンド信号復号手段と、
を備え、
２以上の基地局の通信エリアが重複する通信エリアにおいて、各基地局から直交した制御データを受信し、それぞれの制御データを復号する、
ことを特徴とする移動局。
【発明の詳細な説明】
【技術分野】
【０００１】
本発明は、複数の基地局および移動局から構成される無線通信システムに関する。
【背景技術】
【０００２】
従来、基地局と移動局との間では、移動局ごとに共通の制御データと、移動局ごとに異なるユーザデータの送受信が行われている。制御データは、例えば、路車間通信等では、信号現示や緊急車両の通過等の高い信頼性が求められる移動局に共通したデータであり、受信出来ない場合、安全性が損なわれるデータである。また、携帯電話等のシステムでは、報知情報や基地局との無線接続を継続するために必要な情報である。
【０００３】
例えば、下記特許文献１では、上位装置と接続し同期した複数の基地局が、同一周波数を用いて複数の基地局で共通した共通データを割り当てる場合に、上位装置が、共通データが干渉しないように枠を割り当てる技術が開示されている。また、下記特許文献２では、マクロセルの中にマイクロセルが配置される無線通信システムにおいて、マクロセルとマイクロセルで共通データとユーザデータを伝送する技術が開示されている。具体的には、共通データは周波数を固定し、上位装置が、干渉が発生しないように通信需要に基づいて適応的に各セルにユーザデータの帯域の割り当てを行う。
【先行技術文献】
【特許文献】
【０００４】
【特許文献１】特開２０１０−１３０２３０号公報
【特許文献２】特開２００８−３００９８９号公報
【発明の概要】
【発明が解決しようとする課題】
【０００５】
しかしながら、上記従来の技術によれば、複数の基地局を有線ネットワークで接続している上位装置が、干渉しないように制御している。そのため、干渉の発生が予測される重複する通信エリアの各基地局を有線接続する必要がある、という問題があった。
【０００６】
本発明は、上記に鑑みてなされたものであって、移動局において干渉することなく基地局からの制御データを受信し続けることが可能な無線通信システムを得ることを目的とする。
【課題を解決するための手段】
【０００７】
上述した課題を解決し、目的を達成するために、本発明は、複数の基地局と、各基地局の通信エリアを移動する移動局と、を備え、各基地局の通信エリアの一部が隣接する基地局の通信エリアの一部と重複している無線通通信システムにおいて、前記基地局は、移動局ごとに共通したデータである制御データと、移動局ごとに異なるデータであるユーザデータと、を多重した信号を送信するとき、前記制御データを隣接する基地局が送信する制御データと直交した制御データとし、前記移動局は、２以上の基地局の通信エリアが重複する通信エリアにおいて、各基地局から直交した制御データを受信し、それぞれの制御データを復号する、ことを特徴とする。
【発明の効果】
【０００８】
本発明によれば、移動局において干渉することなく基地局からの制御データを受信し続けることができる、という効果を奏する。
【図面の簡単な説明】
【０００９】
【図１】図１は、実施の形態１の無線通信システムの構成例を示す図である。
【図２】図２は、実施の形態１の信号の周波数スペクトルを示す図である。
【図３】図３は、実施の形態２の信号の周波数スペクトルを示す図である。
【図４】図４は、実施の形態３の信号を周波数対時間で表した図である。
【図５】図５は、実施の形態４の無線通信システムの構成例を示す図である。
【図６】図６は、実施の形態４の信号の周波数スペクトルを示す図である。
【図７】図７は、実施の形態５の信号の周波数スペクトルを示す図である。
【図８】図８は、実施の形態６の信号の周波数スペクトルを示す図である。
【図９】図９は、実施の形態７の信号を周波数対時間で表した図である。
【図１０】図１０は、移動局の構成例を示す図である。
【図１１】図１１は、移動局の構成例を示す図である。
【図１２】図１２は、実施の形態９の信号の周波数スペクトルを示す図である。
【発明を実施するための形態】
【００１０】
以下に、本発明にかかる無線通信システムの実施の形態を図面に基づいて詳細に説明する。なお、この実施の形態によりこの発明が限定されるものではない。
【００１１】
実施の形態１．
図１は、本実施の形態に係る無線通信システムの構成例を示す図である。無線通信システムは、基地局１ａ、１ｂと、移動局３と、から構成される。基地局１ａは、アンテナ２ａを備え、アンテナ２ａで信号を送受信可能な通信エリア１０ａを構成する。基地局１ｂは、アンテナ２ｂを備え、アンテナ２ｂで信号を送受信可能な通信エリア１０ｂを構成する。
【００１２】
ここで、図１に示す無線通信システムにおいて、通信エリア１０ａと通信エリア１０ｂが重複する通信エリアを通信エリア１１ａとし、通信エリア１０ａにおいて通信エリア１０ｂと重複しない通信エリアを通信エリア１２ａとし、通信エリア１０ｂにおいて通信エリア１０ａと重複しない通信エリアを通信エリア１２ｂとする。
【００１３】
移動局３は、アンテナ４を備え、図１に示す各通信エリアを移動可能とする。なお、図１では移動局３を１つとしているが、複数にすることも可能である。
【００１４】
つぎに、通信エリア１２ａ、通信エリア１１ａ、通信エリア１２ｂにおいて、移動局３がアンテナ４で受信する信号の周波数スペクトルについて説明する。図２は、本実施の形態において移動局３が受信する信号の周波数スペクトルを示す図である。ここで、基地局１ａ、１ｂから移動局３へは、インターネット等の移動局３宛ての個別のユーザデータと、高い信頼性が求められる制御データを多重した信号を伝送しているものとする。
【００１５】
図２（ａ）は、通信エリア１２ａにおいて、移動局３がアンテナ４を用いて受信する信号の周波数スペクトルを示す。図２（ａ）に示す周波数スペクトルは、基地局１ｂとは異なる直交する符号により拡散され基地局１ａのアンテナ２ａから送信される制御データの周波数スペクトル１３１ａと、基地局１ａのアンテナ２ａから送信される拡散されていないユーザデータの周波数スペクトル１３２ａと、である。移動局３は、この２つの周波数スペクトルから構成される信号を受信する。
【００１６】
制御データは、例えば、基地局１ａまたは基地局１ｂの送信信号を受信するために必要な情報などである。移動局３は、基地局１ａにて拡散した直交する符号を用いて逆拡散することにより、基地局１ａからの制御データを復号することができる。なお、移動局３は、逆拡散することなくユーザデータを復号することができる。
【００１７】
移動局３では、逆拡散に用いる直交する符号を取得する方法として、例えば、自局が基地局１ａと通信を開始する際のエントリー処理において、基地局１ａから通知を受ける方法がある。他の方法として、移動局３は、自局の位置に基づいて、逆拡散に用いる直交する符号を決定することも可能である。いずれの方法でもよく、また、これらの方法に限定するものではない。
【００１８】
図２（ｂ）は、通信エリア１１ａにおいて、移動局３がアンテナ４を用いて受信する信号の周波数スペクトルを示す。この通信エリア１１ａでは、移動局３は、基地局１ａのアンテナ２ａから送信される信号、および基地局１ｂのアンテナ２ｂから送信される信号、の２つの信号を同時に受信する。
【００１９】
図２（ｂ）に示す周波数スペクトルは、基地局１ａにおいて基地局１ｂとは異なる直交する符号によって拡散され、アンテナ２ａから送信される制御データの周波数スペクトル１３１ａと、基地局１ｂにおいて基地局１ａとは異なる直交する符号によって拡散され、アンテナ２ｂから送信される制御データの周波数スペクトル１３１ｂと、基地局１ａのアンテナ２ａから送信される拡散されていないユーザデータの周波数スペクトル１３２ａと、基地局１ｂのアンテナ２ｂから送信される拡散されていないユーザデータの周波数スペクトル１３２ｂと、である。移動局３は、この４つの周波数スペクトルから構成される重畳された信号を受信する。
【００２０】
なお、周波数スペクトル１３２ｂで示されるユーザデータは、通信エリア１０ｂ内にある図示しない移動局３宛のユーザデータである。
【００２１】
移動局３は、通信エリアが重複する通信エリア１１ａでは、周波数スペクトル１３２ａで示されるユーザデータの信号については周波数スペクトル１３２ｂで示されるユーザデータの信号と干渉することから復号することができない。一方、周波数スペクトル１３２ａで示される制御データ、および周波数スペクトル１３２ｂで示される制御データについては、異なる直交する符合で拡散されているため、移動局３は、それぞれの制御データを復号することができる。
【００２２】
なお、移動局３では、基地局１ａのときと同様、逆拡散に用いる直交する符号を、自局が基地局１ｂと通信を開始する際のエントリー処理において、基地局１ｂから通知を受けることができる。または、前述のように他の方法を用いてもよい。
【００２３】
図２（ｃ）は、通信エリア１２ｂにおいて、移動局３がアンテナ４を用いて受信する信号の周波数スペクトルを示す。図２（ｃ）に示す周波数スペクトルは、基地局１ａとは異なる直交する符号により拡散され基地局１ｂのアンテナ２ｂから送信される制御データの周波数スペクトル１３１ｂと、基地局１ｂのアンテナ２ｂから送信される拡散されていないユーザデータの周波数スペクトル１３２ｂと、である。移動局３は、この２つの周波数スペクトルから構成される信号を受信する。
【００２４】
移動局３は、基地局１ｂにて拡散した直交する符号を用いて逆拡散することにより、制御データを復号することができる。なお、移動局３は、逆拡散することなくユーザデータを復号することができる。
【００２５】
このように、制御データを隣接する基地局間で直交する符号を用いて拡散し、同一の周波数を用いて複数の通信エリアを構成する場合において、通信エリアを移動する移動局３は、制御データを受信し続け、各基地局との接続を継続することが可能である。
【００２６】
なお、直交する符号による拡散は、時間軸、周波数軸、または周波数軸と時間軸との両方に拡散するようにしてもよい。
【００２７】
また、基地局数が２つの場合について説明したが、これに限定するものではない。３つ以上の基地局を用いる場合についても適用可能である。
【００２８】
また、通信エリア１１ａにおいて、移動局３は、各基地局から通知を受けた全ての直交する符号を用いて逆拡散をすることも可能である。また、ユーザデータの復号結果が、ユーザデータに付加されたＣＲＣ（Cyclic  Redundancy  Check）等で誤りと判定された場合、または誤りが多いと判定された場合に、各基地局から通知を受けた全ての直交する符号もしくはその一部を用いて逆拡散してもよい。
【００２９】
以上説明したように、本実施の形態では、ユーザデータと制御データを多重して伝送する無線通信システムにおいて、隣接する基地局が、同一の周波数においてそれぞれ異なる直交する符号を用いて制御データを拡散、すなわち符号により制御データを直交化し、ユーザデータは制御データに干渉しない時間、周波数に配置して送信する。そして、少なくとも一部が重複する通信エリアにいる移動局が、受信した制御データを拡散のときに用いられた符合で逆拡散し、復号することとした。これにより、移動局は、干渉することなく基地局からの制御データを受信し続けることができる。
【００３０】
実施の形態２．
本実施の形態では、周波数により制御データを直交させる場合について説明する。実施の形態１と異なる部分について説明する。
【００３１】
無線通信システムの構成は、実施の形態１（図１参照）と同様である。図３は、本実施の形態において移動局３が受信する信号の周波数スペクトルを示す図である。
【００３２】
図３（ａ）は、通信エリア１２ａにおいて、移動局３がアンテナ４を用いて受信する信号の周波数スペクトルを示す。図３（ａ）に示す周波数スペクトルは、基地局１ａのアンテナ２ａから送信される制御データの周波数スペクトル１３３ａと、基地局１ａのアンテナ２ａから送信されるユーザデータの周波数スペクトル１３４ａと、である。移動局３は、この２つの周波数スペクトルから構成される信号を受信する。そして、移動局３は、受信した信号の制御データおよびユーザデータを復号する。
【００３３】
図３（ｂ）は、通信エリア１１ａにおいて、移動局３がアンテナ４を用いて受信する信号の周波数スペクトルを示す。この通信エリア１１ａでは、移動局３は、基地局１ａのアンテナ２ａから送信される信号、および基地局１ｂのアンテナ２ｂから送信される信号、の２つの信号を同時に受信する。
【００３４】
図３（ｂ）に示す周波数スペクトルは、基地局１ａのアンテナ２ａから送信される制御データの周波数スペクトル１３３ａと、基地局１ｂにおいて基地局１ａとは異なる直交する周波数でアンテナ２ｂから送信される制御データの周波数スペクトル１３３ｂと、基地局１ａのアンテナ２ａから送信されるユーザデータの周波数スペクトル１３４ａと、基地局１ｂのアンテナ２ｂから送信されるユーザデータの周波数スペクトル１３４ｂと、である。移動局３は、この４つの周波数スペクトルから構成される重畳された信号を受信する。
【００３５】
なお、周波数スペクトル１３４ｂで示されるユーザデータは、通信エリア１０ｂ内にある図示しない移動局３宛のユーザデータである。
【００３６】
移動局３は、通信エリアが重複する通信エリア１１ａでは、周波数スペクトル１３４ａで示されるユーザデータの信号については周波数スペクトル１３４ｂで示されるユーザデータの信号と干渉することから復号することができない。一方、周波数スペクトル１３３ａで示される制御データ、および周波数スペクトル１３３ｂで示される制御データについては、異なる直交する周波数のため、移動局３は、それぞれの制御データを復号することができる。
【００３７】
図３（ｃ）は、通信エリア１２ｂにおいて、移動局３がアンテナ４を用いて受信する信号の周波数スペクトルを示す。図３（ｃ）に示す周波数スペクトルは、基地局１ａとは異なる直交する周波数で基地局１ｂのアンテナ２ｂから送信される制御データの周波数スペクトル１３３ｂと、基地局１ｂのアンテナ２ｂから送信されるユーザデータの周波数スペクトル１３４ｂと、である。移動局３は、この２つの周波数スペクトルから構成される信号を受信する。そして、移動局３は、受信した信号の制御データおよびユーザデータを復号する。
【００３８】
以上説明したように、本実施の形態では、各基地局が、制御データを周波数により直交化して伝送することにより、移動局３は、重複する通信エリアにおいて、干渉することなく制御データを受信することができる。この場合においても、通信エリアを移動する移動局３は、基地局からの制御データを干渉することなく受信し続けることができ、実施の形態１と同様の効果を得ることができる。
【００３９】
実施の形態３．
本実施の形態では、時間により制御データを直交させる場合について説明する。実施の形態１と異なる部分について説明する。
【００４０】
無線通信システムの構成は、実施の形態１（図１参照）と同様である。図４は、本実施の形態において移動局３が受信する受信信号を周波数対時間で表した図である。
【００４１】
図４（ａ）は、通信エリア１２ａにおいて、移動局３がアンテナ４を用いて受信する受信信号を示す。図４（ａ）に示す受信信号は、基地局１ａのアンテナ２ａから送信される制御データの受信信号１３５ａと、基地局１ａのアンテナ２ａから送信されるユーザデータの受信信号１３６ａと、である。移動局３は、この２つの受信信号から構成される受信信号を受信する。そして、移動局３は、受信信号の制御データおよびユーザデータを復号する。
【００４２】
図４（ｂ）は、通信エリア１１ａにおいて、移動局３がアンテナ４を用いて受信する受信信号を示す。この通信エリア１１ａでは、移動局３は、基地局１ａのアンテナ２ａから送信される信号、および基地局１ｂのアンテナ２ｂから送信される信号、の２つの信号を同時に受信する。
【００４３】
図４（ｂ）に示す受信信号は、基地局１ａのアンテナ２ａから送信される制御データの受信信号１３５ａと、基地局１ｂにおいて基地局１ａとは異なる直交する時間でアンテナ２ｂから送信される制御データの受信信号１３５ｂと、基地局１ａのアンテナ２ａから送信されるユーザデータ１３６ａと基地局１ｂのアンテナ２ｂから送信されるユーザデータ１３６ｂが重畳された受信信号１３７と、である。移動局３は、この３つの受信信号から構成される重畳された受信信号を受信する。
【００４４】
移動局３は、通信エリアが重複する通信エリア１１ａでは、ユーザデータの信号は重畳されて干渉することから復号することができない。一方、受信信号１３５ａで示される制御データ、および受信信号１３５ｂで示される制御データについては、異なる直交する時間のため、移動局３は、それぞれの制御データを復号することができる。
【００４５】
図４（ｃ）は、通信エリア１２ｂにおいて、移動局３がアンテナ４を用いて受信する受信信号を示す。図４（ｃ）に示す受信信号は、基地局１ａとは異なる直交する時間で基地局１ｂのアンテナ２ｂから送信される制御データの受信信号１３５ｂと、基地局１ｂのアンテナ２ｂから送信されるユーザデータの受信信号１３６ｂと、である。移動局３は、この２つの受信信号から構成される受信信号を受信する。そして、移動局３は、受信した受信信号の制御データおよびユーザデータを復号する。
【００４６】
なお、受信信号１３６ｂで示されるユーザデータは、通信エリア１０ｂ内にある図示しない移動局３宛のユーザデータである。
【００４７】
以上説明したように、本実施の形態では、各基地局が、制御データを時間により直交化して伝送することにより、移動局３は、重複する通信エリアにおいて、干渉することなく制御データを受信することができる。この場合においても、通信エリアを移動する移動局３は、基地局からの制御データを干渉することなく受信し続けることができ、実施の形態１と同様の効果を得ることができる。
【００４８】
なお、実施の形態１〜３で直交化した制御データについて説明したが、１つの項目で直交化するのみならず、２つ以上の項目で直交化してもよい。例えば、符号、時間、周波数のうち２つ以上を組み合わせて用いることも可能である。
【００４９】
実施の形態４．
本実施の形態では、実施の形態１において通信エリアを拡大する場合について説明する。実施の形態１と異なる部分について説明する。
【００５０】
図５は、本実施の形態に係る無線通信システムの構成例を示す図である。無線通信システムは、上位局２０ａ、２０ｂと、ネットワーク２１ａ、２１ｂと、基地局１ｃ、１ｄ、１ｅ、１ｆ、１ｇ、１ｈと、移動局３と、から構成される。上位局２０ａは、ネットワーク２１ａで基地局１ｃ、１ｄ，１ｅと接続し、各基地局が送信する信号の帯域等を制御する。上位局２０ｂは、ネットワーク２１ｂで基地局１ｆ、１ｇ、１ｈと接続し、各基地局が送信する信号の帯域等を制御する。
【００５１】
基地局１ｃは、アンテナ２ｃを備え、アンテナ２ｃで信号を送受信可能な通信エリア１０ｃを構成する。基地局１ｄは、アンテナ２ｄを備え、アンテナ２ｄで信号を送受信可能な通信エリア１０ｄを構成する。基地局１ｅは、アンテナ２ｅを備え、アンテナ２ｅで信号を送受信可能な通信エリア１０ｅを構成する。基地局１ｆは、アンテナ２ｆを備え、アンテナ２ｆで信号を送受信可能な通信エリア１０ｆを構成する。基地局１ｇは、アンテナ２ｇを備え、アンテナ２ｇで信号を送受信可能な通信エリア１０ｇを構成する。基地局１ｈは、アンテナ２ｈを備え、アンテナ２ｈで信号を送受信可能な通信エリア１０ｈを構成する。
【００５２】
ここで、図５に示す無線通信システムにおいて、通信エリア１０ｃと通信エリア１０ｄが重複する通信エリアを通信エリア１１ｃとし、通信エリア１０ｄと通信エリア１０ｅが重複する通信エリアを通信エリア１１ｄとし、通信エリア１０ｅと通信エリア１０ｆが重複する通信エリアを通信エリア１１ｅとし、通信エリア１０ｆと通信エリア１０ｇが重複する通信エリアを通信エリア１１ｆとし、通信エリア１０ｇと通信エリア１０ｈが重複する通信エリアを通信エリア１１ｇとする。
【００５３】
また、通信エリア１０ｃにおいて通信エリア１０ｄと重複しない通信エリアを通信エリア１２ｃとし、通信エリア１０ｄにおいて通信エリア１０ｃおよび通信エリア１０ｅと重複しない通信エリアを通信エリア１２ｄとし、通信エリア１０ｅにおいて通信エリア１０ｄおよび通信エリア１０ｆと重複しない通信エリアを通信エリア１２ｅとし、通信エリア１０ｆにおいて通信エリア１０ｅおよび通信エリア１０ｇと重複しない通信エリアを通信エリア１２ｆとし、通信エリア１０ｇにおいて通信エリア１０ｆおよび通信エリア１０ｈと重複しない通信エリアを通信エリア１２ｇとし、通信エリア１０ｈにおいて通信エリア１０ｇと重複しない通信エリアを通信エリア１２ｈとする。
【００５４】
移動局３は、アンテナ４を備え、図５に示す各通信エリアを移動可能とする。図５では移動局３を１つとしているが、複数にすることも可能である。
【００５５】
つぎに、各基地局が送信する信号の周波数スペクトルについて説明する。図６は、本実施の形態において各基地局が送信する信号の周波数スペクトルを示す図である。
【００５６】
図６（ａ）は、通信エリア１０ｃにおいて、基地局１ｃがアンテナ２ｃを用いて送信する信号の周波数スペクトルを示す。図６（ａ）に示す周波数スペクトルは、拡散されていない制御データの周波数スペクトル１３８ａと、拡散されていないユーザデータの周波数スペクトル１３９ａと、である。基地局１ｃは、この２つの周波数スペクトルから構成される信号を送信する。
【００５７】
図６（ｂ）は、通信エリア１０ｄにおいて、基地局１ｄがアンテナ２ｄを用いて送信する信号の周波数スペクトルを示す。図６（ｂ）に示す周波数スペクトルは、拡散されていない制御データの周波数スペクトル１３８ａと、拡散されていないユーザデータの周波数スペクトル１４１ａと、である。基地局１ｄは、この２つの周波数スペクトルから構成される信号を送信する。
【００５８】
図６（ｃ）は、通信エリア１０ｅにおいて、基地局１ｅがアンテナ２ｅを用いて送信する信号の周波数スペクトルを示す。図６（ｃ）に示す周波数スペクトルは、拡散された制御データの周波数スペクトル１４２ａと、拡散されていないユーザデータの周波数スペクトル１４３ａと、である。基地局１ｅは、この２つの周波数スペクトルから構成される信号を送信する。
【００５９】
図６（ｄ）は、通信エリア１０ｆにおいて、基地局１ｆがアンテナ２ｆを用いて送信する信号の周波数スペクトルを示す。図６（ｄ）に示す周波数スペクトルは、拡散された制御データの周波数スペクトル１４４ｂと、拡散されていないユーザデータの周波数スペクトル１４５ｂと、である。基地局１ｆは、この２つの周波数スペクトルから構成される信号を送信する。
【００６０】
図６（ｅ）は、通信エリア１０ｇにおいて、基地局１ｇがアンテナ２ｇを用いて送信する信号の周波数スペクトルを示す。図６（ｅ）に示す周波数スペクトルは、拡散されていない制御データの周波数スペクトル１４６ｂと、拡散されていないユーザデータの周波数スペクトル１４７ｂと、である。基地局１ｇは、この２つの周波数スペクトルから構成される信号を送信する。
【００６１】
図６（ｆ）は、通信エリア１０ｈにおいて、基地局１ｈがアンテナ２ｈを用いて送信する信号の周波数スペクトルを示す。図６（ｆ）に示す周波数スペクトルは、拡散されていない制御データの周波数スペクトル１４６ｂと、拡散されていないユーザデータの周波数スペクトル１４９ｂと、である。基地局１ｈは、この２つの周波数スペクトルから構成される信号を送信する。
【００６２】
ここで、上位局２０ａからネットワーク２１ａを介して制御される基地局１ｃ、１ｄ、１ｅは、同一の制御データを各アンテナから送信する。また、上位局２０ｂからネットワーク２１ｂを介して制御される基地局１ｆ、１ｇ、１ｈは、同一の制御データを各アンテナから送信する。ただし、基地局１ｅ、１ｆは、それぞれ制御データを異なる直交する符号により拡散する。
【００６３】
図６（ｃ）に示すように、基地局１ｅでは、制御データを周波数軸方向に拡散するため、基地局１ｃ、１ｄから送信される制御データの周波数スペクトル１３８ａと比較して、広い周波数スペクトル１４２ａが必要である。同様に、図６（ｄ）に示すように、基地局１ｆでは、制御データを周波数軸方向に拡散するため、基地局１ｇ、１ｈから送信される制御データの周波数スペクトル１４６ｂと比較して、広い周波数スペクトル１４４ｂが必要である。なお、ここでは制御データを周波数軸方向に拡散しているが、時間軸、周波数軸、または周波数軸と時間軸との両方に拡散するようにしてもよい。
【００６４】
移動局３は、通信エリアが重複する通信エリア１１ｃでは、図６（ａ）および図６（ｂ）で示される周波数スペクトルの信号が重畳された信号を受信し、受信した周波数スペクトル１３８ａの信号から制御データを復調することができる。
【００６５】
また、移動局３は、通信エリアが重複する通信エリア１１ｄでは、図６（ｂ）および図６（ｃ）で示される周波数スペクトルの信号が重畳された信号を受信し、受信した周波数スペクトル１３８ａの信号から制御データを復調することができる。または、受信した周波数スペクトル１４２ａの信号を逆拡散した信号から、制御データを復調することができる。逆拡散する方法については、実施の形態１と同様である。
【００６６】
また、移動局３は、通信エリアが重複する通信エリア１１ｅでは、図６（ｃ）および図６（ｄ）で示される周波数スペクトルの信号が重畳された信号を受信し、受信した周波数スペクトル１４２ａの信号および周波数スペクトル１４４ｂの信号を逆拡散した信号から、制御データを復調することができる。
【００６７】
また、移動局３は、通信エリアが重複する通信エリア１１ｆでは、図６（ｄ）および図６（ｅ）で示される周波数スペクトルの信号が重畳された信号を受信し、受信した周波数スペクトル１４６ｂの信号から制御データを復調することができる。または、受信した周波数スペクトル１４４ｂの信号を逆拡散した信号から、制御データを復調することができる。
【００６８】
また、移動局３は、通信エリアが重複する通信エリア１１ｇでは、図６（ｅ）および図６（ｆ）で示される周波数スペクトルの信号が重畳された信号を受信し、受信した周波数スペクトル１４６ｂの信号から制御データを復調することができる。
【００６９】
なお、図６（ａ）〜（ｆ）で示される周波数スペクトルにおいて、各基地局から送信されるユーザデータは、重複する上記の通信エリアにおいて、制御データと干渉しないように周波数が割り当てられている。
【００７０】
以上説明したように、本実施の形態では、制御データをそれぞれ異なる符号で拡散して直交化する基地局が、制御データを拡散しないで送信する基地局と上位局を介してネットワークを構成することとした。これにより、実施の形態１の効果に加えて、実施の形態１よりも同一制御データが送信される通信エリアを拡大することができる。
【００７１】
なお、図５に示す無線通信システムにおいて、通信エリアが基地局１ｃと重複し、基地局１ｄと重複しないように配置してネットワーク２１ａに接続した基地局（図示せず）において、図６（ａ）に示す周波数スペクトルの信号を送信することにより、制御データを復調可能な通信エリアを更に拡大することができる。同様に、通信エリアが基地局１ｈと重複し、基地局１ｇと重複しないように配置してネットワーク２１ｂに接続した基地局（図示せず）において、図６（ｆ）に示す周波数スペクトルの信号を送信することにより、制御データを復調可能な通信エリアを更に拡大することができる。
【００７２】
なお、本実施の形態で用いた周波数スペクトル、周波数配置、基地局の構成は一例であり、他の周波数スペクトル、周波数配置、基地局の構成にすることも可能である。
【００７３】
実施の形態５．
本実施の形態では、実施の形態２において通信エリアを拡大する場合について説明する。実施の形態２、４と異なる部分について説明する。
【００７４】
無線通信システムの構成は、実施の形態４（図５参照）と同様である。図７は、本実施の形態において各基地局が送信する信号の周波数スペクトルを示す図である。
【００７５】
図７（ａ）は、通信エリア１０ｃにおいて基地局１ｃがアンテナ２ｃを用いて送信する信号、および通信エリア１０ｄにおいて基地局１ｄがアンテナ２ｄを用いて送信する信号、の周波数スペクトルを示す。図７（ａ）に示す周波数スペクトルは、制御データの周波数スペクトル１５０ａと、ユーザデータの周波数スペクトル１５１ａと、である。基地局１ｃ、１ｄは、この２つの周波数スペクトルから構成される信号を送信する。
【００７６】
図７（ｂ）は、通信エリア１０ｅにおいて基地局１ｅがアンテナ２ｅを用いて送信する信号の周波数スペクトルを示す。図７（ｂ）に示す周波数スペクトルは、制御データの周波数スペクトル１５０ａと、ユーザデータの周波数スペクトル１５３ａと、である。基地局１ｅは、この２つの周波数スペクトルから構成される信号を送信する。
【００７７】
図７（ｃ）は、通信エリア１０ｆにおいて基地局１ｆがアンテナ２ｆを用いて送信する信号の周波数スペクトルを示す。図７（ｃ）に示す周波数スペクトルは、制御データの周波数スペクトル１５４ｂと、ユーザデータの周波数スペクトル１５５ｂと、である。基地局１ｆは、この２つの周波数スペクトルから構成される信号を送信する。
【００７８】
図７（ｄ）は、通信エリア１０ｇにおいて基地局１ｇがアンテナ２ｇを用いて送信する信号、および通信エリア１０ｈにおいて基地局１ｈがアンテナ２ｈを用いて送信する信号、の周波数スペクトルを示す。図７（ｄ）に示す周波数スペクトルは、制御データの周波数スペクトル１５４ｂと、ユーザデータの周波数スペクトル１５７ｂ、１５８ｂと、である。基地局１ｇ、１ｈは、この３つの周波数スペクトルから構成される信号を送信する。
【００７９】
図７（ａ）〜（ｄ）において、制御データの周波数スペクトル１５０ａと周波数スペクトル１５４ｂは直交する周波数に配置されている。また、ユーザデータは、隣接する基地局間で制御データと直交する周波数に配置されている。
【００８０】
そのため、移動局３は、重複する通信エリア１１ｅにおいて、図７（ｂ）、（ｃ）に示される周波数スペクトルの信号を受信する場合に、周波数スペクトル１５０ａおよび周波数スペクトル１５４ｂの制御データを干渉することなく受信し、復号することができる。
【００８１】
以上説明したように、本実施の形態では、制御データをそれぞれ異なる周波数で直交化する基地局が、制御データを周波数で直交しないで送信する基地局と上位局を介してネットワークを構成することとした。これにより、実施の形態２の効果に加えて、実施の形態２よりも同一制御データが送信される通信エリアを拡大することができる。
【００８２】
なお、実施の形態４と同様、図５に示す無線通信システムにおいて、通信エリアが基地局１ｃと重複し、基地局１ｄと重複しないように配置してネットワーク２１ａに接続した基地局（図示せず）において、図７（ａ）に示す周波数スペクトルの信号を送信することにより、制御データを復調可能な通信エリアを更に拡大することができる。同様に、通信エリアが基地局１ｈと重複し、基地局１ｇと重複しないように配置してネットワーク２１ｂに接続した基地局（図示せず）において、図７（ｄ）に示す周波数スペクトルの信号を送信することにより、制御データを復調可能な通信エリアを更に拡大することができる。
【００８３】
実施の形態６．
本実施の形態では、実施の形態５と同様、直交した周波数を用いて通信エリアを拡大する場合の異なる方法について説明する。実施の形態２、４、５と異なる部分について説明する。
【００８４】
無線通信システムの構成は、実施の形態４、５（図５参照）と同様である。図８は、本実施の形態において各基地局が送信する信号の周波数スペクトルを示す図である。
【００８５】
図８（ａ）は、通信エリア１０ｃにおいて基地局１ｃがアンテナ２ｃを用いて送信する信号の周波数スペクトルを示す。図８（ａ）に示す周波数スペクトルは、制御データの周波数スペクトル１５９ａと、ユーザデータの周波数スペクトル１６０ａと、である。基地局１ｃは、この２つの周波数スペクトルから構成される信号を送信する。
【００８６】
図８（ｂ）は、通信エリア１０ｄにおいて基地局１ｄがアンテナ２ｄを用いて送信する信号の周波数スペクトルを示す。図８（ｂ）に示す周波数スペクトルは、制御データの周波数スペクトル１５９ａと、ユーザデータの周波数スペクトル１６２ａと、である。基地局１ｄは、この２つの周波数スペクトルから構成される信号を送信する。
【００８７】
図８（ｃ）は、通信エリア１０ｅにおいて基地局１ｅがアンテナ２ｅを用いて送信する信号の周波数スペクトルを示す。図８（ｃ）に示す周波数スペクトルは、制御データの周波数スペクトル１６３ａと、ユーザデータの周波数スペクトル１６４ａと、である。基地局１ｅは、この２つの周波数スペクトルから構成される信号を送信する。
【００８８】
図８（ｄ）は、通信エリア１０ｆにおいて基地局１ｆがアンテナ２ｆを用いて送信する信号の周波数スペクトルを示す。図８（ｄ）に示す周波数スペクトルは、制御データの周波数スペクトル１６５ｂと、ユーザデータの周波数スペクトル１６６ｂと、である。基地局１ｆは、この２つの周波数スペクトルから構成される信号を送信する。
【００８９】
図８（ｅ）は、通信エリア１０ｇにおいて基地局１ｇがアンテナ２ｇを用いて送信する信号の周波数スペクトルを示す。図８（ｅ）に示す周波数スペクトルは、制御データの周波数スペクトル１６７ｂと、ユーザデータの周波数スペクトル１６８ｂ、１６９ｂと、である。基地局１ｇは、この３つの周波数スペクトルから構成される信号を送信する。
【００９０】
図８（ｆ）は、通信エリア１０ｈにおいて基地局１ｈがアンテナ２ｈを用いて送信する信号の周波数スペクトルを示す。図８（ｆ）に示す周波数スペクトルは、制御データの周波数スペクトル１６７ｂと、ユーザデータの周波数スペクトル１７０ｂと、である。基地局１ｈは、この２つの周波数スペクトルから構成される信号を送信する。
【００９１】
図８（ａ）〜（ｆ）において、制御データの周波数スペクトル１５９ａと周波数スペクトル１６３ａは直交する周波数に配置され、制御データの周波数スペクトル１６３ａと周波数スペクトル１６５ｂは直交する周波数に配置され、制御データの周波数スペクトル１６５ｂと周波数スペクトル１６７ｂは直交する周波数に配置されている。また、ユーザデータは、隣接する基地局間で制御データと直交する周波数に配置されている。
【００９２】
そのため、移動局３は、重複する通信エリア１１ｅにおいて、図８（ｃ）、（ｄ）に示される周波数スペクトルの信号を受信する場合に、周波数スペクトル１６３ａおよび周波数スペクトル１６５ｂの制御データを干渉することなく受信し、復号することができる。
【００９３】
以上説明したように、本実施の形態では、制御データをそれぞれ異なる周波数で直交化する基地局が、制御データを周波数で直交しないで送信する基地局と上位局を介してネットワークを構成することとした。これにより、実施の形態２の効果に加えて、実施の形態２よりも同一制御データが送信される通信エリアを拡大することができる。
【００９４】
また、実施の形態５と比較して、基地局１ｃと基地局１ｈから送信される信号の周波数スペクトルの制御データとユーザデータの周波数配置を同一にすることができる。これにより、１つの上位局に多数の基地局が接続されている場合には、自局と異なる上位局に接続する基地局と隣接する基地局、および自局と異なる上位局に接続する基地局と隣接する基地局に隣接する基地局、を除く基地局は、制御データおよびユーザデータを同一周波数に配置して送信することができる。また、ユーザデータの領域を大きくすることができる。
【００９５】
なお、実施の形態４、５と同様、図５に示す無線通信システムにおいて、通信エリアが基地局１ｃと重複し、基地局１ｄと重複しないように配置してネットワーク２１ａに接続した基地局（図示せず）において、図８（ａ）に示す周波数スペクトルの信号を送信することにより、制御データを復調可能な通信エリアを更に拡大することができる。同様に、通信エリアが基地局１ｈと重複し、基地局１ｇと重複しないように配置してネットワーク２１ｂに接続した基地局（図示せず）において、図８（ｆ）に示す周波数スペクトルの信号を送信することにより、制御データを復調可能な通信エリアを更に拡大することができる。
【００９６】
実施の形態７．
本実施の形態では、実施の形態３において通信エリアを拡大する場合について説明する。実施の形態３、４と異なる部分について説明する。
【００９７】
無線通信システムの構成は、実施の形態４（図５参照）と同様である。図９は、本実施の形態において各基地局が送信する信号を周波数対時間で表した図である。
【００９８】
図９（ａ）は、通信エリア１０ｃにおいて基地局１ｃがアンテナ２ｃを用いて送信する送信信号を示す。図９（ａ）に示す送信信号は、制御データの送信信号１７１ａと、ユーザデータの送信信号１７２ａと、である。基地局１ｃは、この２つの送信信号から構成される送信信号を送信する。
【００９９】
図９（ｂ）は、通信エリア１０ｄにおいて基地局１ｄがアンテナ２ｄを用いて送信する送信信号を示す。図９（ｂ）に示す送信信号は、制御データの送信信号１７１ａと、ユーザデータの送信信号１７４ａと、である。基地局１ｄは、この２つの送信信号から構成される送信信号を送信する。
【０１００】
図９（ｃ）は、通信エリア１０ｅにおいて基地局１ｅがアンテナ２ｅを用いて送信する送信信号を示す。図９（ｃ）に示す送信信号は、制御データの送信信号１７６ａと、ユーザデータの送信信号１７４ａと、である。基地局１ｅは、この２つの送信信号から構成される送信信号を送信する。
【０１０１】
図９（ｄ）は、通信エリア１０ｆにおいて基地局１ｆがアンテナ２ｆを用いて送信する送信信号を示す。図９（ｄ）に示す送信信号は、制御データの送信信号１７９ｂと、ユーザデータの送信信号１８０ｂと、である。基地局１ｆは、この２つの送信信号から構成される送信信号を送信する。
【０１０２】
図９（ｅ）は、通信エリア１０ｇにおいて基地局１ｇがアンテナ２ｇを用いて送信する送信信号を示す。図９（ｅ）に示す送信信号は、制御データの送信信号１８２ｂと、ユーザデータの送信信号１８０ｂと、である。基地局１ｇは、この２つの送信信号から構成される送信信号を送信する。
【０１０３】
図９（ｆ）は、通信エリア１０ｈにおいて基地局１ｈがアンテナ２ｈを用いて送信する送信信号を示す。図９（ｆ）に示す送信信号は、制御データの送信信号１８２ｂと、ユーザデータの送信信号１８５ｂと、である。基地局１ｈは、この２つの送信信号から構成される送信信号を送信する。
【０１０４】
図９（ａ）〜（ｆ）において、制御データの送信信号１７１ａと送信信号１７６ａは直交する周波数および時間に配置され、制御データの送信信号１７６ａと送信信号１７９ｂは直交する時間に配置され、制御データの送信信号１７９ｂと周波数スペクトル１８２ｂは直交する周波数および時間に配置されている。また、ユーザデータは、隣接する基地局間で制御データと直交する周波数に配置するため、無信号領域１７５、１７８、１８４がある。
【０１０５】
そのため、移動局３は、重複する通信エリア１１ｅにおいて、図８（ｃ）、（ｄ）に示される受信信号を受信する場合に、制御データの受信信号１７６ａおよび受信信号１７９ｂを干渉することなく受信し、復号することができる。
【０１０６】
以上説明したように、本実施の形態では、制御データをそれぞれ異なる周波数および時間で直交化する基地局が、制御データを時間で直交しないで送信する基地局と上位局を介してネットワークを構成することとした。これにより、実施の形態３の効果に加えて、実施の形態３よりも同一制御データが送信される通信エリアを拡大することができる。
【０１０７】
また、実施の形態６と同様、基地局１ｃと基地局１ｈから送信される送信信号において制御データとユーザデータの周波数配置を同一にすることができる。
【０１０８】
なお、実施の形態４〜７で直交化した制御データについて説明したが、１つの項目で直交化するのみならず、２つ以上の項目で直交化してもよい。例えば、符号、時間、周波数のうち２つ以上を組み合わせて用いることも可能である。
【０１０９】
実施の形態８．
本実施の形態では、移動局３の具体的な構成について説明する。
【０１１０】
まず、実施の形態２、３、５、６、７における移動局３の構成について説明する。図１０は、移動局３の構成例を示す図である。移動局３は、アンテナ４と、位置検出部５０と、時間周波数決定部５１と、制御データ抽出部５２と、ベースバンド信号復号部５５と、を備える。なお、周波数変換やＡ／Ｄ変換、フィルタ等の一般的な構成については省略する。
【０１１１】
位置検出部５０は、自局の位置情報を出力する。位置情報を得る方法としては、例えば、ＧＰＳ（Global  Positioning  System）、ジャイロ、加速度センサなど、またはこれらの組み合わせがあり、これらの方法により得た位置情報により、位置情報を決定することができる。なお、位置情報は、経度、緯度などの絶対位置情報でもよく、相対位置情報でも構わない。
【０１１２】
時間周波数決定部５１は、自局の位置情報に基づいて、自局がいる通信エリアにおいて制御データが配置されている時間（またはタイミング）と周波数の一方または両方を指示する信号を出力する。
【０１１３】
制御データ抽出部５２は、時間周波数決定部５１が出力する時間と周波数の一方または両方を指示する信号に基づいて、アンテナ４で受信した受信信号から制御データを抽出する。
【０１１４】
ベースバンド信号復号部５５は、制御データ抽出部５２で抽出された制御データを復号する。
【０１１５】
つぎに、実施の形態１、４における移動局３の構成について説明する。図１１は、移動局３の構成例を示す図である。移動局３は、アンテナ４と、位置検出部５０と、時間周波数決定部５１と、制御データ抽出部５２と、直交符号決定部５３と、逆拡散部５４と、ベースバンド信号復号部５５と、を備える。図１０と同様、周波数変換やＡ／Ｄ変換、フィルタ等の一般的な構成については省略する。
【０１１６】
直交符号決定部５３は、自局の位置情報に基づいて、直交する符号を決定する。２以上の制御データを復号するため、２以上の直交する符号を出力することができる。例えば、位置情報から自局が重複通信エリアにいる場合には、重複している通信エリア分の複数の直交する符号を出力してもよい。
【０１１７】
逆拡散部５４は、制御データ抽出部５２が抽出する制御データを、直交符号決定部５３で決定した符合を用いて逆拡散する。
【０１１８】
ベースバンド信号復号部５５は、逆拡散部５４から出力されたベースバンド信号を復号する。
【０１１９】
その他の構成は図１０の移動局３の構成と同様である。なお、図１１に示す移動局３において、直交符号決定部５３が、系列長１の大きさ１．０を出力すれば、図１０に示す移動局３の構成を包含することが可能である。
【０１２０】
このように、図１０、１１に示す構成にすることにより、移動局３は、エントリー手続き等により制御データの符号や時間と周波数の配置を基地局から通知することなく、位置情報に基づいて制御データを復号することができる。
【０１２１】
実施の形態９．
本実施の形態では、実施の形態５において、基地局１ｅと基地局１ｆで送信タイミングが同期していないときに、ガードバンドを設ける場合について説明する。実施の形態５と異なる部分について説明する。
【０１２２】
無線通信システムの構成は、実施の形態５（図５参照）と同様である。図１２は、本実施の形態において各基地局が送信する信号の周波数スペクトルを示す図である。
【０１２３】
図１２（ａ）は、通信エリア１０ｃにおいて基地局１ｃがアンテナ２ｃを用いて送信する信号、通信エリア１０ｄにおいて基地局１ｄがアンテナ２ｄを用いて送信する信号、の周波数スペクトルを示す。図１２（ａ）に示す周波数スペクトルは、制御データの周波数スペクトル１９０ａと、ユーザデータの周波数スペクトル１９１ａと、である。基地局１ｃ、１ｄは、この２つの周波数スペクトルから構成される信号を送信する。
【０１２４】
図１２（ｂ）は、通信エリア１０ｅにおいて基地局１ｅがアンテナ２ｅを用いて送信する信号の周波数スペクトルを示す。図１２（ｂ）に示す周波数スペクトルは、制御データの周波数スペクトル１９０ａと、ユーザデータの周波数スペクトル１９３ａと、である。基地局１ｅは、この２つの周波数スペクトルから構成される信号を送信する。
【０１２５】
図１２（ｃ）は、通信エリア１０ｆにおいて基地局１ｆがアンテナ２ｆを用いて送信する信号の周波数スペクトルを示す。図１２（ｃ）に示す周波数スペクトルは、制御データの周波数スペクトル１９４ｂと、ユーザデータの周波数スペクトル１９５ｂと、である。基地局１ｆは、この２つの周波数スペクトルから構成される信号を送信する。
【０１２６】
図１２（ｄ）は、通信エリア１０ｇにおいて基地局１ｇがアンテナ２ｇを用いて送信する信号、通信エリア１０ｈにおいて基地局１ｈがアンテナ２ｈを用いて送信する信号、の周波数スペクトルを示す。図１２（ｄ）に示す周波数スペクトルは、制御データの周波数スペクトル１９４ｂと、ユーザデータの周波数スペクトル１９７ｂ、１９８ｂと、である。基地局１ｇ、１ｈは、この３つの周波数スペクトルから構成される信号を送信する。
【０１２７】
ここで、図１２（ｂ）において、基地局１ｅが送信する制御データの周波数スペクトル１９０ａに隣接する周波数領域１９２と、図１２（ｃ）において、基地局１ｆが送信する制御データの周波数スペクトル１９４ｂに隣接し、周波数領域１９２と同一周波数である周波数領域１９６に、基地局１ｅ、１ｆから何も送信されないガードバンドを設ける。
【０１２８】
基地局の変調方式が、例えば、ＯＦＤＭ（Orthogonal  Frequency  Division  Multiplexing）、ＯＦＤＭＡ（Orthogonal  Frequency  Division  Multiple  Access）、シングルキャリアブロック伝送などのブロック伝送を用い、基地局１ｅと基地局１ｆの間で送信タイミングが同期していない場合、すなわち上位局間で送信タイミングが同期していない場合、移動局３が、制御データの周波数スペクトル１９０ａを復調する際、基地局１ｅの送信信号と基地局１ｆの送信信号の間でシンボル間干渉が発生するため、制御データの周波数スペクトル１９４ｂが広がる。同様に、移動局３が、制御データの周波数スペクトル１９４ｂを復調する際、基地局１ｅの送信信号と基地局１ｆの送信信号の間でシンボル間干渉が発生するため、制御データの周波数スペクトル１９０ａが広がる。これは、制御データのスペクトル１９０ａの広がりにより、例えば制御データのスペクトル１９４ｂの復調において特性劣化する。
【０１２９】
そのため、スペクトルが広がる部分にガードバンドとして、周波数領域１９２、１９６を設けることにより、スペクトルの広がりによる特性劣化を除去、または軽減することができる。
【０１３０】
以上説明したように、本実施の形態では、周波数で直交化した制御データを送信する基地局において送信タイミングが同期していない場合、各基地局が送信する制御データの間の周波数帯にガードバンドを設けることとした。これにより、スペクトルの広がりによる特性劣化を除去、または軽減することができる。
【符号の説明】
【０１３１】
１ａ、１ｂ、１ｃ、１ｄ、１ｅ、１ｆ、１ｇ、１ｈ  基地局
２ａ、２ｂ、２ｃ、２ｄ、２ｅ、２ｆ、２ｇ、２ｈ  アンテナ
３  移動局
４  アンテナ
１０ａ、１０ｂ、１０ｃ、１０ｄ、１０ｅ、１０ｆ、１０ｇ、１０ｈ  通信エリア（各基地局の通信エリア）
１１ａ、１１ｃ、１１ｄ、１１ｅ、１１ｆ、１１ｇ、１１ｈ  通信エリア（重複する通信エリア）
１２ａ、１２ｂ、１２ｃ、１２ｄ、１２ｅ、１２ｆ、１２ｇ、１２ｈ  通信エリア（重複しない通信エリア）
２０ａ、２０ｂ  上位局
２１ａ、２１ｂ  ネットワーク
５０  位置検出部
５１  時間周波数決定部
５２  制御データ抽出部
５３  直交符号決定部
５４  逆拡散部
５５  ベースバンド信号復号部
【図１】
0005709658.tif 000002
【図２】
0005709658.tif 000003
【図３】
0005709658.tif 000004
【図４】
0005709658.tif 000005
【図５】
0005709658.tif 000006
【図６】
0005709658.tif 000007
【図７】
0005709658.tif 000008
【図８】
0005709658.tif 000009
【図９】
0005709658.tif 000010
【図１０】
0005709658.tif 000011
【図１１】
0005709658.tif 000012
【図１２】
0005709658.tif 000013